(57)【要約】【課題】外観体裁が良好な高断熱の壁面を構築する。【解決手段】枠状に組み合わせる土台１１、１１…上に立設する柱材２１、２１…と、柱材２１、２１…の間に多段に積み重ねる壁材２２、２２…と、柱材２１、２１…上の梁材３１、３１…に設置する屋根４１、４１…とを組み合わせる。壁材２２、２２…は、下段の上面の突条を上段の下面の係合溝に嵌合させるとともに、それぞれの両端のほぞを柱材２１、２１…の保持溝に差し込み、木造の壁面を形成することができる。【選択図】　図１
2004060425.tif 000002
【特許請求の範囲】
【請求項１】
枠状に組み合わせる土台と、該土台に立設する柱材と、該柱材の間に多段に積み重ねる木製の壁材と、前記柱材上に架設する梁材と、該梁材上に設置する屋根材とを備えてなり、前記各壁材は、互いに嵌合可能な上面の突条、下面の係合溝を全長に形成し、前記柱材の保持溝に差し込むほぞを両端に有することを特徴とする木造の簡易建物。
【請求項２】
前記壁材は、室外側に膨出する湾曲面を有することを特徴とする請求項１記載の木造の簡易建物。
【請求項３】
前記土台は、ベースフレームに固定することを特徴とする請求項１または請求項２記載の木造の簡易建物。
【請求項４】
前記土台内には、床材を敷設することを特徴とする請求項１ないし請求項３のいずれか記載の木造の簡易建物。
【請求項５】
前記床材と、少なくとも下段の前記壁材の室内側には、防水処理を施すことを特徴とする請求項４記載の木造の簡易建物。
【請求項６】
前記土台は、最下段の前記壁材の係合溝に係合可能な突条を上面に形成することを特徴とする請求項１ないし請求項５のいずれか記載の木造の簡易建物。
【請求項７】
前記梁材は、最上段の前記壁材の突条に係合可能な係合溝を下面に形成することを特徴とする請求項１ないし請求項６のいずれか記載の木造の簡易建物。
【発明の詳細な説明】
【０００１】
【発明の属する技術分野】
この発明は、外観体裁が良好な高断熱の壁面を形成することができる木造の簡易建物に関する。
【０００２】
【従来の技術】
簡易トイレなどの壁面は、合成樹脂板や鋼板などの板材により形成するのが一般的である。
【０００３】
すなわち、壁面は、柱や間柱などの構造材に対し、ねじ止めや、溶接などの手法により板材を固定し、形成されている。
【０００４】
【発明が解決しようとする課題】
かかる従来技術によるときは、板材は、壁面を単なる平面に形成するから、外観上の変化に乏しく、高級感を演出し難い上、熱伝導性が良好であるため、十分な断熱性を得ることが難しいという問題があった。
【０００５】
そこで、この発明の目的は、かかる従来技術の問題に鑑み、柱材の間に木製の壁材を多段に積み重ねることによって、外観体裁が良好な高断熱の壁面を形成することができる木造の簡易建物を提供することにある。
【０００６】
【課題を解決するための手段】
かかる目的を達成するためのこの発明の構成は、枠状に組み合わせる土台と、土台に立設する柱材と、柱材の間に多段に積み重ねる木製の壁材と、柱材上に架設する梁材と、梁材上に設置する屋根材とを備えてなり、各壁材は、互いに嵌合可能な上面の突条、下面の係合溝を全長に形成し、柱材の保持溝に差し込むほぞを両端に有することをその要旨とする。
【０００７】
なお、壁材は、室外側に膨出する湾曲面を有してもよい。
【０００８】
また、土台は、ベースフレームに固定することができる。
【０００９】
さらに、土台内には、床材を敷設することができ、床材と、少なくとも下段の壁材の室内側には、防水処理を施すことができる。
【００１０】
なお、土台は、最下段の壁材の係合溝に係合可能な突条を上面に形成してもよく、梁材は、最上段の壁材の突条に係合可能な係合溝を下面に形成してもよい。
【００１１】
【作用】
かかる発明の構成によるときは、木製の壁材は、土台に立設する柱材の間に多段に積み重ねて、柱材の間に壁面を形成することができ、屋根材は、梁材上に設置し、梁材によって囲まれる範囲を上から閉じることができる。すなわち、土台、柱材、壁材、梁材、屋根材は、全体として木造の外観、室内空間を形成することができる。また、各壁材は、下段の係合溝を上段の突条に嵌合させ、両端のほぞを柱材の保持溝に差し込むことにより、隙間のない木製の壁面を形成することができる。なお、壁材は、木材、殊に乾燥処理済みの天然木材または合成木材を使用することにより、良好な断熱性を実現することができる。また、土台、柱材、梁材も、壁材と同様な天然木材、合成木材を使用することができる。
【００１２】
室外側に膨出する湾曲面を壁材に設ければ、壁材は、上下多段に積み重ねることにより、なだらかな凹凸を室外側に形成し、デザイン性に優れた壁面を形成することができる。
【００１３】
ベースフレームに固定する土台は、ベースフレームを介して一体化することができ、ベースフレームとともに容易に搬送することができる。
【００１４】
土台内に床材を敷設するときは、床材は、土台内を塞ぎ、室内空間の床を形成することができる。
【００１５】
床材と、少なくとも下段の壁材の室内側とに防水処理を施すことにより、床材、壁材に良好な耐水性を付与し、室内空間をたとえばトイレや洗面所として使用することが可能となる。
【００１６】
土台は、上面の突条を最下段の壁材の係合溝に嵌合させることにより、最下段の壁材との間に隙間を生じるおそれがない。なお、突条は、土台の上面の全長に形成する。
【００１７】
梁材は、下面の係合溝に最上段の壁材の突条を嵌合させることにより、最上段の壁材との間に隙間を生じるおそれがない。なお、係合溝は、梁材の下面の全長に形成する。ただし、ここでいう梁材とは、柱材に架設する梁や桁を総称していうものとする。
【発明の実施の形態】
【００１８】
以下、図面を以って発明の実施の形態を説明する。
【００１９】
木造の簡易建物は、枠状に組み合わせる土台１１、１１…と、土台１１、１１…に立設する柱材２１、２１…と、柱材２１、２１…の間に多段に積み重ねる壁材２２、２２…と、柱材２１、２１…に架設する梁材３１、３１…と、梁材３１、３１…上に設置する屋根材４１、４１…とを主要部材としてなる（図１、図２）。なお、木造の簡易建物の前面には、たとえばヒンジ２３ａ、２３ａを介し、把手２３ｂ付きの木製の片開き形式のドア２３が組み込まれており、ドア２３の上部、下部には、それぞれ採光窓２３ｃ、換気口２３ｄが組み込まれている。
【００２０】
土台１１、１１…は、枠状に組み合わせ、ブラケット１２ｂ、１２ｂ…を介して枠状のベースフレーム１２上に固定されている。なお、各ブラケット１２ｂは、たとえばベースフレーム１２の上面に溶接されているとともに、土台１１にねじ止めされている。また、ベースフレーム１２の外周部分には、固定用の取付孔１２ａ、１２ａ…が形成されている。
【００２１】
前部の幅広の柱材２１、２１は、それぞれ後方の側面に保持溝２１ａが形成されており、後部の柱材２１、２１は、それぞれ隣接する２側面に保持溝２１ａ、２１ａが形成されている（図２、図３）。ただし、図３においては、壁材２２、２２…間に隙間が図示されているが、実際には、隙間がないものとする。各柱材２１の両端には、ほぞ２１ｂ、２１ｂが形成されており、各柱材２１は、下端のほぞ２１ｂをほぞ孔１１ｂに挿入して土台１１上に立設されている。また、柱材２１、２１…上には、枠状に組み合わせる梁材３１、３１…が架設されている。梁材３１、３１…は、それぞれ下面に係合溝３１ａが形成され、ほぞ孔３１ｂ、３１ｂ…にほぞ２１ｂ、２１ｂ…を挿入し、柱材２１、２１…上に固定されている。
【００２２】
各壁材２２は、上面の全長に突条２２ａが形成されているとともに、下面の全長に係合溝２２ｂが形成されている。なお、突条２２ａ、係合溝２２ｂは、互いに嵌合可能であり、土台１１の突条１１ａ、梁材３１の係合溝３１ａは、それぞれ壁材２２の係合溝２２ｂ、突条２２ａが嵌合可能である。壁材２２の両端には、それぞれ柱材２１の保持溝２１ａに差込み可能なほぞ２２ｃが形成されている。各壁材２２の一方の側面は、室外側に膨出する湾曲面２２ｄが形成されているとともに、他方、すなわち室内側の側面には、飾り溝２２ｅが形成されている。
【００２３】
壁材２２、２２…は、それぞれ両端のほぞ２２ｃ、２２ｃを両側の柱材２１、２１の保持溝２１ａ、２１ａに差し込み、下段の壁材２２の突条２２ａを上段の壁材２２の係合溝２２ｂに嵌合させ、土台１１、１１…上に多段に積み重ね、柱材２１、２１…それぞれの間に木製の壁面を構築することができる。ただし、最下段の壁材２２は、土台１１の突条１１ａを下面の係合溝２２ｂに嵌合させ、上段の壁材２２は、上面の突条２２ａを梁材３１の係合溝３１ａに嵌合させる。また、壁材２２、２２…は、ルーバー２４ａ付きの換気口２４とともに、柱材２１、２１の間に積み重ねることができる。なお、梁材３１、３１…は、柱材２１、２１…間に壁材２２、２２…を積み重ねた後、柱材２１、２１…に架設する。このようにして積み重ねる壁材２２、２２…は、それぞれ土台１１、柱材２１、２１…、梁材３１との間にいずれも隙間を生じるおそれがない。
【００２４】
梁材３１、３１…上には、母屋４２、垂木４３、４３…、屋根板４４を介し、カラー鋼板やスレート瓦などの屋根材４１が設置されている（図１、図３）。なお、垂木４３、４３…の間は、それぞれ梁３１上に固定する面戸４５を介して塞がれており、前部、後部の梁材３１上は、妻面戸４６を介して塞がれている。一方、土台１１、１１…内には、床材５１が敷設されている。なお、床材５１は、土台１１、１１…の上面の切欠１１ｃ、１１ｃ…に緑部分を係止するとともに、左右の土台１１、１１間に架設する補助材１３上により支持されている。床材５１上には、補助板５２が敷設されており、下段の壁材２２、２２…の室内側には、たとえば約３００ｍｍ程度立ち上がる補助板５３が付設されている。なお、補助板５２、５３の隅角部には、たとえば断面三角形の目地材５２ａが付設されている。補助板５２、５３の室内側の表面には、防水膜５４が形成されている。すなわち、床材５１と、下段の壁材２２、２２…には、防水膜５４により防水処理が施されている。
【００２５】
かかる木造の簡易建物は、土台１１、１１…、柱材２１、２１…、壁材２２、２２…、梁材３１、３１…をそれぞれ天然木材または合成木材により形成すると、外観体裁が高級になるとともに、高断熱化を容易に実現することができる。したがって、木造の簡易建物は、仮設トイレや、物置などの筐体に好適に使用し、高付加価値化を図ることができる。
【００２６】
以上の説明において、壁材２２、２２…は、それぞれ室外側の湾曲面２２ｄを単なる平面に代えてもよい（図４）。ただし、図４においては、壁材２２、２２…間に隙間が図示されているが、実際にはないものとする。なお、木造の簡易建物は、たとえば左右の壁面を図１ないし図３に示す壁材２２、２２…により形成し、後部の壁面を図４に示す壁材２２、２２…により形成してもよい。また、木造の簡易建物には、吊上用のアイボルトを上部に付設してもよい。さらに、土台１１、梁３１は、それぞれ壁材２２との間に十分な雨仕舞を行うことができるとき、突条１１ａ、係合溝３１ａを削除してもよい。
【発明の効果】
【００２７】
以上説明したように、この発明によれば、土台と、柱材と、柱材の間に多段に積み重ねる壁材と、梁材と、屋根材とを組み合わせることによって、木造の外観、室内空間を形成することができるから、外観体裁が良好な高断熱の壁面を容易に構築することができるという優れた効果がある。
【図面の簡単な説明】
【図１】全体構成斜視図
【図２】要部拡大分解斜視図
【図３】要部拡大縦断面図
【図４】他の実施の形態を示す要部拡大斜視図
【符号の説明】
１１　…土台
１１ａ…突条
１２　…ベースフレーム
２１　…柱材
２１ａ…保持溝
２２　…壁材
２２ａ…突条
２２ｂ…係合溝
２２ｃ…ほぞ
２２ｄ…湾曲面
３１　…梁材
３１ａ…係合溝
４１　…屋根材
５１　…床材
【図１】
2004060425.tif 000003
【図２】
2004060425.tif 000004
【図３】
2004060425.tif 000005
【図４】
2004060425.tif 000006